(57)【要約】【課題】操作性向上及びメモリ領域の確保を図る。【解決手段】データを登録する際に、携帯電話機１に装着されている加入者識別カード２０に記憶されている加入者情報と対応付けてデータを個人データ記憶部１３に記憶させておく。そして、個人データ記憶部１３に記憶されているデータに対応付けられている加入者情報が、現在携帯電話機１に装着されている加入者識別カード２０の加入者情報と一致するか否かに基づいて、現在のユーザが登録したデータと、他のユーザが登録したデータとを区別して表示する。本人以外が登録したデータの削除が指示された場合には、他のユーザのデータを一括削除する。【選択図】図１
2007088582.tif 000002
【特許請求の範囲】
【請求項１】
着脱可能な外部記憶媒体に記憶された媒体固有の情報を参照して動作する電子機器において、
複数のデータと前記媒体固有の情報とをそれぞれ対応付けて記憶するデータ記憶手段と、
前記データ記憶手段に記憶されているデータに対応付けられている媒体固有の情報が、前記外部記憶媒体に記憶されている媒体固有の情報と一致するか否かを判断する判断手段と、
前記判断手段により、前記データ記憶手段に記憶されているデータに対応付けられている媒体固有の情報が、前記外部記憶媒体に記憶されている媒体固有の情報と一致しない場合に、当該データを前記データ記憶手段から削除する削除手段と、
を備えたことを特徴とする電子機器。
【請求項２】
前記判断手段による判断結果を反映させて、前記データ記憶手段に記憶されているデータを表示する表示手段をさらに備えたことを特徴とする請求項１に記載の電子機器。
【請求項３】
前記判断手段により、前記データ記憶手段に記憶されているデータに対応付けられている媒体固有の情報が、前記外部記憶媒体に記憶されている媒体固有の情報と一致しない場合に、当該データを削除するか否かを選択するための選択手段をさらに備え、
前記削除手段は、前記選択手段により当該データを削除するよう選択された場合に、当該データを前記データ記憶手段から削除することを特徴とする請求項１又は２に記載の電子機器。
【請求項４】
回線接続のための情報が割り当てられることにより回線接続サービスを受け、当該回線を介して外部の機器と通信を行う通信手段をさらに備え、
前記媒体固有の情報は、前記回線接続のための情報であることを特徴とする請求項１から３のいずれか一項に記載の電子機器。
【請求項５】
着脱可能な外部記憶媒体に記憶された媒体固有の情報を参照して動作する電子機器のデータ処理方法であって、
複数のデータと前記媒体固有の情報とをそれぞれ対応付けてデータ記憶手段に記憶させるデータ記憶ステップと、
前記データ記憶手段に記憶されているデータに対応付けられている媒体固有の情報が、前記外部記憶媒体に記憶されている媒体固有の情報と一致するか否かを判断する判断ステップと、
前記判断ステップにおいて、前記データ記憶手段に記憶されているデータに対応付けられている媒体固有の情報が、前記外部記憶媒体に記憶されている媒体固有の情報と一致しない場合に、当該データを前記データ記憶手段から削除する削除ステップと、
を含むことを特徴とするデータ処理方法。
【請求項６】
着脱可能な外部記憶媒体に記憶された媒体固有の情報を参照して動作する電子機器のためのデータ処理プログラムであって、
コンピュータに、
複数のデータと前記媒体固有の情報とをそれぞれ対応付けてデータ記憶手段に記憶させるデータ記憶機能と、
前記データ記憶手段に記憶されているデータに対応付けられている媒体固有の情報が、前記外部記憶媒体に記憶されている媒体固有の情報と一致するか否かを判断する判断機能と、
前記判断機能において、前記データ記憶手段に記憶されているデータに対応付けられている媒体固有の情報が、前記外部記憶媒体に記憶されている媒体固有の情報と一致しない場合に、当該データを前記データ記憶手段から削除する削除機能と、
を実現させるためのデータ処理プログラム。
【発明の詳細な説明】
【技術分野】
【０００１】
本発明は、電子機器、データ処理方法及びデータ処理プログラムに関する。
【背景技術】
【０００２】
近年、通信方式の統一化を目的としたＩＭＴ（International Mobile Telecommunication）−２０００規格に基づく携帯電話機が開発されている。加入者情報（ＩＭＳＩ：International Mobile Subscriber Identity）等が記憶されている加入者識別カード（ＵＩＭ：User Identity Module）と、携帯電話機本体とを分離した構成とし、各ユーザは加入者識別カードを携帯電話機本体に装着することにより、携帯電話機を使用することができる（例えば、特許文献１参照）。
【特許文献１】特開２００４−３３６７１９号公報
【発明の開示】
【発明が解決しようとする課題】
【０００３】
しかし、上記のような加入者識別カードを用いた携帯電話機を譲り受けて使用する場合には、前のユーザのデータが携帯電話機本体に残っているおそれがある。前のユーザのデータを削除せずに、新たなユーザがデータを追加して登録してしまった場合には、現在のユーザと他のユーザのデータが混在し、区別がつかないという問題があった。また、現在のユーザにとっては不要なデータである他のユーザのデータを１件ずつ確認しながら削除しなければならなかった。
【０００４】
本発明は、上記の従来技術における問題に鑑みてなされたものであって、操作性向上及びメモリ領域の確保を図ることを課題とする。
【課題を解決するための手段】
【０００５】
上記課題を解決するために、請求項１に記載の発明は、着脱可能な外部記憶媒体に記憶された媒体固有の情報を参照して動作する電子機器において、複数のデータと前記媒体固有の情報とをそれぞれ対応付けて記憶するデータ記憶手段と、前記データ記憶手段に記憶されているデータに対応付けられている媒体固有の情報が、前記外部記憶媒体に記憶されている媒体固有の情報と一致するか否かを判断する判断手段と、前記判断手段により、前記データ記憶手段に記憶されているデータに対応付けられている媒体固有の情報が、前記外部記憶媒体に記憶されている媒体固有の情報と一致しない場合に、当該データを前記データ記憶手段から削除する削除手段と、を備えたことを特徴としている。
【０００６】
請求項２に記載の発明は、請求項１に記載の電子機器において、前記判断手段による判断結果を反映させて、前記データ記憶手段に記憶されているデータを表示する表示手段をさらに備えたことを特徴としている。
【０００７】
請求項３に記載の発明は、請求項１又は２に記載の電子機器において、前記判断手段により、前記データ記憶手段に記憶されているデータに対応付けられている媒体固有の情報が、前記外部記憶媒体に記憶されている媒体固有の情報と一致しない場合に、当該データを削除するか否かを選択するための選択手段をさらに備え、前記削除手段は、前記選択手段により当該データを削除するよう選択された場合に、当該データを前記データ記憶手段から削除することを特徴としている。
【０００８】
請求項４に記載の発明は、請求項１から３のいずれか一項に記載の電子機器において、回線接続のための情報が割り当てられることにより回線接続サービスを受け、当該回線を介して外部の機器と通信を行う通信手段をさらに備え、前記媒体固有の情報は、前記回線接続のための情報であることを特徴としている。
【０００９】
請求項５に記載の発明は、着脱可能な外部記憶媒体に記憶された媒体固有の情報を参照して動作する電子機器のデータ処理方法であって、複数のデータと前記媒体固有の情報とをそれぞれ対応付けてデータ記憶手段に記憶させるデータ記憶ステップと、前記データ記憶手段に記憶されているデータに対応付けられている媒体固有の情報が、前記外部記憶媒体に記憶されている媒体固有の情報と一致するか否かを判断する判断ステップと、前記判断ステップにおいて、前記データ記憶手段に記憶されているデータに対応付けられている媒体固有の情報が、前記外部記憶媒体に記憶されている媒体固有の情報と一致しない場合に、当該データを前記データ記憶手段から削除する削除ステップと、を含むことを特徴としている。
【００１０】
請求項６に記載の発明は、着脱可能な外部記憶媒体に記憶された媒体固有の情報を参照して動作する電子機器のためのデータ処理プログラムであって、コンピュータに、複数のデータと前記媒体固有の情報とをそれぞれ対応付けてデータ記憶手段に記憶させるデータ記憶機能と、前記データ記憶手段に記憶されているデータに対応付けられている媒体固有の情報が、前記外部記憶媒体に記憶されている媒体固有の情報と一致するか否かを判断する判断機能と、前記判断機能において、前記データ記憶手段に記憶されているデータに対応付けられている媒体固有の情報が、前記外部記憶媒体に記憶されている媒体固有の情報と一致しない場合に、当該データを前記データ記憶手段から削除する削除機能と、を実現させるためのデータ処理プログラムである。
【発明の効果】
【００１１】
請求項１、５、及び６に記載の発明によれば、データ記憶手段に記憶されているデータに対応付けられている媒体固有の情報が、外部記憶媒体に記憶されている媒体固有の情報と一致しない場合に、当該データを削除するようにしたので、ユーザが各データを確認しながら削除するか否かを判断する必要がなく、操作性を向上させることができるとともに、現在のユーザにとって不要なデータを削除することにより、メモリ領域を確保することができるという利点が得られる。
【００１２】
また、請求項２に記載の発明によれば、データ記憶手段に記憶されているデータに対応付けられている媒体固有の情報が、外部記憶媒体に記憶されている媒体固有の情報と一致するか否かの判断結果を反映させて、該データを表示するようにしたので、各データが外部記憶媒体に記憶されている媒体固有の情報と対応付けられているか否かを容易に確認することができるという利点が得られる。
【００１３】
また、請求項３に記載の発明によれば、データ記憶手段に記憶されているデータに対応付けられている媒体固有の情報が、外部記憶媒体に記憶されている媒体固有の情報と一致しない場合に、当該データを削除するか否かを選択するための選択手段を備え、当該データを削除するよう選択された場合に、当該データをデータ記憶手段から削除するようにしたので、媒体固有の情報が一致しないデータを削除するかどうかを選択することができるという利点が得られる。
【００１４】
また、請求項４に記載の発明によれば、回線を介して外部の機器と通信を行う通信手段を備えた電子機器において、ユーザが各データを確認しながら削除するか否かを判断する必要がなく、操作性を向上させることができるとともに、現在のユーザにとって不要なデータを削除することにより、メモリ領域を確保することができるという利点が得られる。
【発明を実施するための最良の形態】
【００１５】
以下、図面を参照して本発明に係る実施の形態を詳細に説明する。
図１に、電子機器としての携帯電話機１の内部構成を示す。携帯電話機１は、送話マイク２、受話スピーカ３、音声処理部４、制御部５、通信処理部６、無線送受信部７、アンテナ８、インターフェイス９、インターフェイス１０、表示部１１、キー入力部１２、個人データ記憶部１３、一時記憶部１４及びシステムＲＯＭ１５を備え、各部はバス１６により接続されている。
【００１６】
音声処理部４は、送話マイク２から入力された音声信号をコード化処理して通信データに変換して通信処理部６に出力する。また、音声処理部４は、通信処理部６から入力された通信データをデコード処理して音声信号に変換して受話スピーカ３に出力する。
【００１７】
制御部５は、システムＲＯＭ１５に記憶されている各種プログラムの中から指定されたプログラムを読み出し、一時記憶部１４内のワークエリアに展開し、上記プログラムとの協働によって各種処理を実行し、その処理結果を一時記憶部１４の所定の領域に格納するとともに、表示部１１に表示させる。
【００１８】
通信処理部６は、ベースバンド信号（データ）から通信制御データ、音声データ、メールデータ等を取得し、制御部５に出力する。また、通信処理部６は、無線送信するデータを変換し、無線送受信部７に出力する。
【００１９】
無線送受信部７は、搬送波を通信データで変調処理し、アンテナ８を介して無線通信信号を送信する。また、無線送受信部７は、アンテナ８を介して受信した無線通信信号を復調処理し、復調されたベースバンド信号（データ）を通信処理部６に出力する。
【００２０】
インターフェイス９は、外部記憶媒体としての加入者識別カード２０を着脱可能に装着する装着部を備え、加入者識別カード２０と携帯電話機１とを接続する。加入者識別カード２０には、外部記憶媒体固有の情報、すなわち、カード固有の情報である加入者情報、及び加入者識別カード２０に対応するユーザの個人データが記憶されている。
【００２１】
加入者情報は、例えば、電話番号等、加入者識別カード２０を他のカードと識別するための情報であって、携帯電話機１の回線接続のための情報をいう。制御部５により、加入者識別カード２０に記憶されている加入者情報が参照され、加入者情報が割り当てられることにより、携帯電話機１は回線接続サービスを受け、動作を行う。
【００２２】
個人データは、携帯電話機１のユーザが登録したデータをいい、例えば、表示部１１のメッセージ表示に従ってキー入力部１２から入力を行うことにより登録したデータ、携帯電話機１の通信機能により回線網を通じて取得したデータを含む。本実施の形態では、個人データとして電話帳データを例にして説明するが、スケジュール帳データ、メモ帳データ、メールアドレスデータ、送受信メール、動画像データ、着信音データ等であってもよい。
【００２３】
図２（ａ）に、加入者Ａの所有する加入者識別カード２０のメモリ内容を示す。図２（ａ）に示すように、加入者識別カード２０には、加入者情報Ａ及び加入者Ａの個人データが記憶されている。図２（ａ）に示す電話帳データは、「名前」、「電話番号」、データを表示する際の表示方法を示す「表示」、及び５０音順に並べ替える順番を示す「順位」から構成されている。本実施の形態では、表示方法の例として太字、斜体でデータを表示することにより、現在のユーザのデータと他のユーザのデータとを区別する。
【００２４】
インターフェイス１０は、データ記憶モジュール２１と携帯電話機１とを接続する。
【００２５】
表示部１１は、ＬＣＤ（Liquid Crystal Display）等により構成され、制御部５から入力される表示データに基づいて各種情報を表示する。
【００２６】
キー入力部１２は、数字キー、メニューキー、カーソルキー、決定キー及び各種機能キー等の入力キーを備えて構成され、ユーザにより押下されたキーに対応する押下信号を制御部５に出力する。
【００２７】
個人データ記憶部１３には、複数のユーザが登録した個人データが、加入者情報と対応付けられて記憶されている。図２（ｂ）に、個人データ記憶部１３のメモリ内容を示す。図２（ｂ）に示すように、個人データ記憶部１３には、加入者情報Ａ、加入者情報Ｂ、加入者Ａの個人データ、及び加入者Ｂの個人データが記憶されている。加入者情報Ａに対応付けられて記憶されている「先頭番地：０２６」は、加入者Ａの個人データの先頭番地を示している。同様に、加入者情報Ｂに対応付けられて記憶されている「先頭番地：０３６」は、加入者Ｂの個人データの先頭番地を示している。
【００２８】
一時記憶部１４は、制御部５により実行される各種プログラム及びこれらプログラムに係るデータを一時的に記憶するワークエリアを形成する。
【００２９】
システムＲＯＭ１５は、不揮発性の半導体メモリで構成され、制御部５により実行される各種プログラムやデータ等を記憶している。
【００３０】
次に、携帯電話機１の動作について説明する。
図３は、携帯電話機１により実行されるデータ識別処理を示すフローチャートである。当該処理は、加入者識別カード２０を差し替えて携帯電話機１の電源を入れた後に行われる処理であって、制御部５と、システムＲＯＭ１５に記憶されているプログラムとの協働によるソフトウェア処理により実現される。
【００３１】
まず、個人データ記憶部１３に記憶されている個人データの先頭に移動し（ステップＳ１）、当該データと対応付けられている加入者情報が、加入者識別カード２０に記憶されている加入者情報Ａと一致するか否かが判断される（ステップＳ２）。
【００３２】
データと対応付けられている加入者情報が、加入者識別カード２０に記憶されている加入者情報Ａと一致する場合には（ステップＳ２；ＹＥＳ）、当該データの「表示」が太字に設定される（ステップＳ３）。データと対応付けられている加入者情報が、加入者識別カード２０に記憶されている加入者情報Ａと一致しない場合には（ステップＳ２；ＮＯ）、当該データの「表示」が斜体に設定される（ステップＳ４）。
【００３３】
次に、個人データ記憶部１３に記憶されている個人データのうち最後のデータに到達したか否かが判断され、最後のデータに到達していない場合には（ステップＳ５；ＮＯ）、次のデータに移動し（ステップＳ６）、ステップＳ２〜Ｓ５の処理を繰り返す。
【００３４】
ステップＳ５において最後のデータに到達した場合には（ステップＳ５；ＹＥＳ）、データ識別処理が終了する。
【００３５】
次に、図４を参照して、電話帳表示処理について説明する。当該処理は、加入者Ａの電話帳データと、他のユーザの電話帳データとを区別して表示する処理であって、制御部５と、システムＲＯＭ１５に記憶されているプログラムとの協働によるソフトウェア処理により実現される。
【００３６】
まず、ユーザがキー入力部１２から操作することにより、電話帳モードが選択される（ステップＳ１１）。そして、加入者識別カード２０に記憶されている電話帳データ、及び個人データ記憶部１３に記憶されている電話帳データにおける「順位」が参照され、名前が５０音順に並べ替えられる（ステップＳ１２）。
【００３７】
次に、表示部１１に表示される最初のデータに移動し（ステップＳ１３）、当該データと対応付けられている加入者情報が、加入者識別カード２０に記憶されている加入者情報Ａと一致するか否かが判断される（ステップＳ１４）。データと対応付けられている加入者情報が、加入者識別カード２０に記憶されている加入者情報Ａと一致する場合には（ステップＳ１４；ＹＥＳ）、当該データの名前が太字で表示部１１に表示される（ステップＳ１５）。データと対応付けられている加入者情報が、加入者識別カード２０に記憶されている加入者情報Ａと一致しない場合には（ステップＳ１４；ＮＯ）、当該データの名前が斜体で表示部１１に表示される（ステップＳ１６）。
【００３８】
次に、表示部１１における１画面分のデータ表示が終了したか否かが判断され、１画面分のデータ表示が終了していない場合には（ステップＳ１７；ＮＯ）、次のデータに移動し（ステップＳ１８）、ステップＳ１４に戻る。
【００３９】
ステップＳ１７において、１画面分のデータ表示が終了した場合には（ステップＳ１７；ＹＥＳ）、表示範囲を変更するか否かが判断される（ステップＳ１９）。表示範囲の変更は、キー入力部１２のスクロールボタンやページ切り替えボタンにより指示される。表示範囲を変更する場合には（ステップＳ１９；ＹＥＳ）、ステップＳ１３に戻り、変更された範囲のデータのうち最初のデータに移動する。
【００４０】
ステップＳ１９において、表示範囲を変更しない場合には（ステップＳ１９；ＮＯ）、電話帳表示処理が終了する。
【００４１】
図５（ａ）に、電話帳データの表示画面を示す。図５（ａ）に示すように、加入者Ａが登録したデータ、すなわち、携帯電話機１に装着されている加入者識別カード２０に記憶されている加入者情報Ａと対応付けられているデータは太字で表示され、他の加入者が登録したデータは斜体で表示される。また、本実施の形態では、現在選択されているデータを下線で示すこととする。
【００４２】
次に、図６を参照して、新規登録処理について説明する。当該処理は、ユーザが登録した個人データを加入者情報と対応付けて記憶する処理であって、制御部５と、システムＲＯＭ１５に記憶されているプログラムとの協働によるソフトウェア処理により実現される。
【００４３】
まず、図５（ａ）に示す電話帳データの表示画面において、ユーザがキー入力部１２を操作することにより「新規」が選択されると、新規登録モードに遷移し（ステップＳ２１）、表示部１１に、図５（ｂ）に示す名前入力画面が表示される。名前入力画面において「キャンセル」が選択された場合には、図５（ａ）に示す電話帳データの表示画面に戻る。
【００４４】
図５（ｂ）に示す名前入力画面において、キー入力部１２から新規登録される電話帳データの名前が入力され（ステップＳ２２）、「確定」が選択されると、図５（ｃ）に示す番号入力画面が表示される。番号入力画面において「キャンセル」が選択された場合には、図５（ａ）に示す電話帳データの表示画面に戻る。
【００４５】
図５（ｃ）に示す番号入力画面において、キー入力部１２から新規登録される電話帳データの電話番号が入力され（ステップＳ２３）、「確定」が選択されると、個人データ記憶部１３に加入者Ａのデータが存在するか否かが判断される（ステップＳ２４）。個人データ記憶部１３に加入者Ａのデータが存在しない場合には（ステップＳ２４；ＮＯ）、個人データ記憶部１３に加入者情報Ａが登録され（ステップＳ２５）、個人データの先頭番地が設定される（ステップＳ２６）。そして、ステップＳ２２及びＳ２３で入力された入力データが、ステップＳ２６で設定された番地に挿入される（ステップＳ２７）。
【００４６】
ステップＳ２４において、個人データ記憶部１３に加入者Ａのデータが存在する場合には（ステップＳ２４；ＹＥＳ）、加入者Ａの個人データの先頭番地が参照され、加入者Ａの最初のデータがロードされる（ステップＳ２８）。
【００４７】
次に、ステップＳ２２で入力された名前がステップＳ２８でロードされたデータより５０音順で早い場合には（ステップＳ２９；ＹＥＳ）、ステップＳ２２及びＳ２３で入力された入力データが、ステップＳ２８でロードされたデータの前に挿入される（ステップＳ３０）。
【００４８】
ステップＳ２９において、ステップＳ２２で入力された名前がステップＳ２８でロードされたデータより５０音順で後の場合には（ステップＳ２９；ＮＯ）、個人データ記憶部１３に記憶されている加入者Ａの個人データのうち最後のデータに到達したか否かが判断され、最後のデータに到達していない場合には（ステップＳ３１；ＮＯ）、次のデータがロードされ（ステップＳ３２）、ステップＳ２９に戻る。そして、ステップＳ２２で入力された名前がステップＳ３２でロードされたデータより５０音順で早い場合には（ステップＳ２９；ＹＥＳ）、ステップＳ２２及びＳ２３で入力された入力データが、ステップＳ３２でロードされたデータの前に挿入される（ステップＳ３０）。
【００４９】
ステップＳ３１において、個人データ記憶部１３に記憶されている加入者Ａの個人データのうち最後のデータに到達した場合には（ステップＳ３１；ＹＥＳ）、ステップＳ２２及びＳ２３で入力された入力データが、ステップＳ２８又はステップＳ３２でロードされたデータの後に挿入される（ステップＳ３３）。
【００５０】
ステップＳ２７、ステップＳ３０、ステップＳ３３の後、当該データの「表示」が太字に設定される（ステップＳ３４）。そして、５０音順の「順位」が更新される（ステップＳ３５）。
以上で、新規登録処理が終了する。
【００５１】
図７（ａ）及び（ｂ）に、新規登録処理後の加入者Ａの所有する加入者識別カード２０のメモリ内容、及び個人データ記憶部１３のメモリ内容を示す。図７（ａ）及び（ｂ）に示すように、個人データ記憶部１３に新規登録されたデータ「田辺・・」が追加され、加入者識別カード２０及び個人データ記憶部１３の各データの順位が更新されている。
【００５２】
図５（ｄ）に、新規登録処理後の電話帳データの表示例を示す。「田中・・」と「田端・・」の間に、新規登録された「田辺・・」が太字で追加され、新規登録されたデータ以降の順位が更新されている。
【００５３】
次に、図８を参照して、携帯電話機１により実行されるデータ削除処理を説明する。当該処理は、加入者識別カード２０に対応するユーザ以外が登録したデータを削除する処理であって、制御部５と、システムＲＯＭ１５に記憶されているプログラムとの協働によるソフトウェア処理により実現される。
【００５４】
まず、図９（ａ）に示す電話帳データの表示画面において、ユーザがキー入力部１２を操作することにより「メニュー」が選択されると、表示部１１に、図９（ｂ）に示す機能メニュー画面が表示される。機能メニュー画面において、ユーザがキー入力部１２を操作することにより「キャンセル」が選択されると、図９（ａ）に示す電話帳データの表示画面に戻る。
【００５５】
図９（ｂ）に示す機能メニュー画面において、ユーザがキー入力部１２の数字キー「３」を押下することにより「３削除」が選択されると、表示部１１に、図９（ｃ）に示す削除方法選択画面が表示される。削除方法選択画面では、データを１件削除するか、全件削除するか、指定削除するか、を選択する。ここで、指定削除とは、加入者識別カード２０に対応するユーザ以外が登録したデータを削除することをいう。削除方法選択画面において、ユーザがキー入力部１２を操作することにより「キャンセル」が選択されると、図９（ａ）に示す電話帳データの表示画面に戻る。
【００５６】
図９（ｃ）に示す削除方法選択画面において、ユーザがキー入力部１２の数字キー「３」を押下することにより「３指定削除」が選択されると、表示部１１に、図９（ｄ）に示すデータ削除確認画面が表示され、データの削除を確認するためのメッセージ「本人以外が登録したデータを削除しますか？」が表示される（ステップＳ４１）。
【００５７】
図９（ｄ）に示すデータ削除確認画面において、ユーザがキー入力部１２を操作することにより「キャンセル」が選択されると（ステップＳ４２；ＹＥＳ）、図９（ａ）に示す電話帳データの表示画面に戻り、データ削除処理は終了する。
【００５８】
図９（ｄ）に示すデータ削除確認画面において、「キャンセル」が選択されずに（ステップＳ４２；ＮＯ）、「はい」が選択されない場合には（ステップＳ４３；ＮＯ）、ステップＳ４２に戻る。
【００５９】
図９（ｄ）に示すデータ削除確認画面において、「キャンセル」が選択されずに（ステップＳ４２；ＮＯ）、カーソルキー及び決定キーの操作により「はい」が選択された場合には（ステップＳ４３；ＹＥＳ）、個人データ記憶部１３に記憶されている個人データのうちデータの先頭に移動する（ステップＳ４４）。
【００６０】
そして、そのデータと対応付けられている加入者情報が加入者情報Ａと一致するか否かが判断される（ステップＳ４５）。データと対応付けられている加入者情報が加入者情報Ａと一致しない場合には（ステップＳ４５；ＮＯ）、そのデータは削除され（ステップＳ４６）、ステップＳ４７に移行する。一方、データと対応付けられている加入者情報が加入者情報Ａと一致する場合には（ステップＳ４５；ＹＥＳ）、ステップＳ４７に移行する。
【００６１】
次に、最後のデータに到達したか否かが判断され、最後のデータに到達していない場合には（ステップＳ４７；ＮＯ）、次のデータに移動し（ステップＳ４８）、ステップＳ４５に戻る。
【００６２】
ステップＳ４７において最後のデータに到達した場合には（ステップＳ４７；ＹＥＳ）、他のユーザの加入者情報、及び、他のユーザの加入者情報に対応付けられている先頭番地が削除される（ステップＳ４９）。
以上で、データ削除処理が終了する。
【００６３】
図１０（ａ）及び（ｂ）に、データ削除処理後の加入者Ａの所有する加入者識別カード２０のメモリ内容、及び個人データ記憶部１３のメモリ内容を示す。図１０（ａ）及び（ｂ）に示すように、個人データ記憶部１３に記憶されているデータのうち、加入者Ａ以外のデータは削除され、加入者識別カード２０及び個人データ記憶部１３の各データの順位が更新されている。なお、他のユーザの個人データを一括削除する際に、全アプリケーションにわたって削除することとしてもよいし、アプリケーション毎に他のユーザの個人データを一括削除することとしてもよい。
【００６４】
図９（ｅ）に、データ削除処理後の電話帳データの表示例を示す。加入者Ｂと対応付けられていたデータである「田端・・」が削除され、削除されたデータ以降の順位が更新されている。
【００６５】
以上説明したように、個人データ記憶部１３に記憶されている個人データに対応付けられている加入者情報が、加入者識別カード２０に記憶されている加入者情報と一致しない場合に、当該データを削除するので、ユーザが各データを確認しながら削除するか否かを判断する必要がなく、操作性を向上させることができる。また、現在のユーザにとって不要なデータを削除することにより、メモリ領域を確保することができる。
【００６６】
また、個人データ記憶部１３に記憶されているデータに対応付けられている加入者情報が、加入者識別カード２０に記憶されている加入者情報と一致するか否かの判断結果を反映させて、現在のユーザが登録したデータと他のユーザが登録したデータを区別して表示部１１に表示するようにしたので、各データが加入者識別カード２０に記憶されている加入者情報と対応付けられているか否か、すなわち、現在のユーザが登録したデータであるか否かを容易に確認することができる。
【００６７】
また、個人データ記憶部１３に記憶されているデータに対応付けられている加入者情報が、加入者識別カード２０に記憶されている加入者情報と一致しない場合に、当該データを削除するか否かを選択することができる。
【００６８】
なお、上記実施の形態における記述は、本発明に係る電子機器の例であり、これに限定されるものではない。携帯電話機１を構成する各部の細部構成及び細部動作に関しても本発明の趣旨を逸脱することのない範囲で適宜変更可能である。
【００６９】
例えば、上記実施の形態では、現在のユーザが登録したデータと、他のユーザが登録したデータを区別して表示するために、データを太字又は斜体で表示することとしたが、表示方法はこれに限定されず、現在のユーザと他のユーザのデータを異なる色で区別して表示してもよく、網掛け、コントラスト、点滅、マーク付け等により区別してもよい。
【００７０】
また、個人データは、加入者情報と対応付けられたフォルダ毎に記憶してもよく、電話帳等のアプリケーション毎に作成されたフォルダに加入者情報と対応付けられた個人データを記憶してもよい。
【００７１】
また、上記実施の形態では、個人データと、加入者識別カード２０に記憶されている加入者情報とを対応付けて記憶することとしたが、携帯電話機１が接続先の外部機器から取得したデータと、その外部機器とを対応付けて記憶することとしてもよい。また、携帯電話機１が通信を行う際に使用する回線と対応付けてデータを記憶することとしてもよい。また、携帯電話機１に限らず、外部機器と通信可能なコンピュータ等において、インターネットプロバイダのＩＤや、ＩＰアドレスと対応付けてデータを記憶することとしてもよい。
【００７２】
また、個人データを記憶するデータ記憶手段としては、個人データ記憶部１３に限定するものではなく、携帯電話機１に装着して使用するデータ記憶モジュール２１内の外部メモリであってもよい。
【図面の簡単な説明】
【００７３】
【図１】本発明の実施の形態における電子機器としての携帯電話機１の内部構成を示すブロック図である。
【図２】（ａ）は、加入者Ａの所有する加入者識別カード２０のメモリ内容を示す図である。（ｂ）は、個人データ記憶部１３のメモリ内容を示す図である。
【図３】携帯電話機１により実行されるデータ識別処理を示すフローチャートである。
【図４】携帯電話機１により実行される電話帳表示処理を示すフローチャートである。
【図５】表示部１１に表示される表示画面の例である。
【図６】携帯電話機１により実行される新規登録処理を示すフローチャートである。
【図７】（ａ）は、新規登録処理後の加入者Ａの所有する加入者識別カード２０のメモリ内容を示す図である。（ｂ）は、新規登録処理後の個人データ記憶部１３のメモリ内容を示す図である。
【図８】携帯電話機１により実行されるデータ削除処理を示すフローチャートである。
【図９】表示部１１に表示される表示画面の例である。
【図１０】（ａ）は、データ削除処理後の加入者Ａの所有する加入者識別カード２０のメモリ内容を示す図である。（ｂ）は、データ削除処理後の個人データ記憶部１３のメモリ内容を示す図である。
【符号の説明】
【００７４】
１  携帯電話機（電子機器）
２  送話マイク
３  受話スピーカ
４  音声処理部
５  制御部（判断手段、削除手段）
６  通信処理部
７  無線送受信部（通信手段）
８  アンテナ
９  インターフェイス
１０  インターフェイス
１１  表示部（表示手段）
１２  キー入力部（選択手段）
１３  個人データ記憶部（データ記憶手段）
１４  一時記憶部
１５  システムＲＯＭ
１６  バス
２０  加入者識別カード（外部記憶媒体）
２１  データ記憶モジュール
【図１】
2007088582.tif 000003
【図２】
2007088582.tif 000004
【図３】
2007088582.tif 000005
【図４】
2007088582.tif 000006
【図５】
2007088582.tif 000007
【図６】
2007088582.tif 000008
【図７】
2007088582.tif 000009
【図８】
2007088582.tif 000010
【図９】
2007088582.tif 000011
【図１０】
2007088582.tif 000012